(57)【要約】【課題】施設内の地図情報を端末装置に提供する地図情報提供システムを提案する。【解決手段】地図情報提供システムに含まれる出入管理装置１０１はテーマパークの入り口等に設置されて、ＩＣカード読取部１０２に携帯電話端末をかざされることにより、非接触でＩＣカードが接続された携帯電話装置であることが認識し、通過を許可するか否かを判断する。通過が許可する場合は、決済処理や改札処理が行なわれた後、地図情報が携帯電話端末に対して提供され、門扉１０３が閉状態から開状態となる。【選択図】図１
2008039830.tif 000002
【特許請求の範囲】
【請求項１】
施設への出入を管理する出入管理装置と、
端末装置とを含み、
前記端末装置は、
ＩＣカードと、
前記ＩＣカードからの識別情報を出力する手段とを備え、
前記出入管理装置は、
前記端末装置に備えられる前記ＩＣカードに対して非接触にてアクセスし、前記ＩＣカードからの前記識別情報を読取る手段と、
前記識別情報に基づいて、前記端末装置を携帯した利用者の通過を許可するか否かを判断する手段と、
前記端末装置を携帯した前記利用者の通過を許可する場合、前記端末装置に対して地図情報を送信する手段とを備え、
前記端末装置は、前記出入管理装置から送信された前記地図情報を記憶する記憶手段と、
前記地図情報を表示する表示手段とをさらに備える、地図情報提供システム。
【請求項２】
前記出入管理装置は、前記端末装置を携帯した前記利用者が前記施設へ進入する際に、前記端末端末の前記ＩＣカードに対して非接触にてアクセスし、入場料金を決済する手段をさらに備える、請求項１に記載の地図情報提供システム。
【請求項３】
前記施設は交通機関を利用するための設備であって、
前記出入管理装置は、前記端末装置を携帯した前記利用者が前記施設へ進入する際に、前記端末端末の前記ＩＣカードに対して非接触にてアクセスし、前記交通機関の改札を行なう手段をさらに備える、請求項１に記載の地図情報提供システム。
【請求項４】
前記地図情報は付加情報を含む、請求項１に記載の地図情報提供システム。
【請求項５】
前記付加情報は、前記地図情報に含まれる地図の座標を含む、請求項４に記載の地図情報提供システム。
【請求項６】
前記付加情報は、前記地図情報上の目標となるものの名称を含む、請求項４に記載の地図情報提供システム。
【請求項７】
前記付加情報は、前記地図情報上の目標となるものに関連する情報を含む、請求項４に記載の地図情報提供システム。
【請求項８】
前記付加情報は、前記施設と直接関連しない広告情報を含む、請求項４に記載の地図情報提供システム。
【請求項９】
前記端末装置の前記表示手段は、前記付加情報を前記地図情報と共に表示する、請求項４に記載の地図情報提供システム。
【請求項１０】
前記付加情報は、前記付加情報の表示を制限する情報を含み、
前記端末装置の前記表示手段は、前記付加情報の表示を制限する前記情報に基づいて、前記付加情報を表示するか否かを判断する手段をさらに含む、請求項９に記載の地図情報提供システム。
【請求項１１】
前記端末装置は、前記地図情報を加工する加工手段をさらに備え、
前記記憶手段は、前記加工手段で加工された前記地図情報を記憶する、請求項１に記載の地図情報提供システム。
【請求項１２】
前記端末装置は、
前記加工手段で加工された前記地図情報を外部に送信する送信手段をさらに備える、請求項１１に記載の地図情報提供システム。
【請求項１３】
前記送信手段は、前記加工手段で加工された前記地図情報を外部メモリに送信する、請求項１２に記載の地図情報提供システム。
【請求項１４】
前記付加情報は、前記地図情報の加工、複製を禁止する情報を含む、請求項４に記載の地図情報提供システム。
【請求項１５】
前記端末装置は、
現在位置を取得する手段をさらに備え、
前記表示手段は、前記地図情報の表示の上に、前記現在位置を表示する、請求項１に記載の地図情報提供システム。
【請求項１６】
前記端末装置は、
目的地を設定する手段と、
前記現在位置から前記目的地までの経路を検索する手段とをさらに備え、
前記表示手段は、前記地図情報の表示の上に、前記経路を表示する、請求項１５に記載の地図情報提供システム。
【請求項１７】
前記出入管理装置は、前記端末装置を携帯した前記利用者が前記施設から退出する際に、前記端末装置に対して、前記端末装置の前記記憶手段に記憶された前記地図情報を消すための命令を送信する手段をさらに備える、請求項１に記載の地図情報提供システム。
【請求項１８】
前記端末装置は、
前記端末装置を携帯した前記利用者が前記施設から退出する際に、前記出入管理装置から、前記記憶手段に記憶された前記地図情報を消すための命令を受信する手段と、
前記命令にしたがって、前記地図情報を消去する処理を行なう手段とをさらに備える、請求項１に記載の地図情報提供システム。
【発明の詳細な説明】
【技術分野】
【０００１】
この発明は地図情報提供システムに関し、特に、施設内の地図情報を端末装置に提供する地図情報提供システムに関する。
【背景技術】
【０００２】
従来、たとえば特開２００１−１７５７３９号公報（以下、特許文献１）にも開示されているように、駅周辺の案内機に訪問する先のランドマークの情報を入力し、ランドマークまでの（地図を含む）案内情報を磁気券やＩＣ（Integrated Circuit）カードなどに記録する方法はあった。
【０００３】
また、特開平６−３０８２１８号公報（以下、特許文献２）に開示されているような、携帯電話の電話回線の利用し、地図情報を取得する方法や、特開平７−８３６８４号公報（以下、特許文献３）に開示されているような、ＣＤ−ＲＯＭ（Compact Disk−Read Only Memory）などの記録媒体からＩＣカードに地図情報を記録し表示する方法はあった。
【特許文献１】特開２００１−１７５７３９号公報
【特許文献２】特開平６−３０８２１８号公報
【特許文献３】特開平７−８３６８４号公報
【発明の開示】
【発明が解決しようとする課題】
【０００４】
しかしながら、上述のような方法が採用された場合には、地図情報を取得するために、案内機に接続する、電話回線を用いる、ＣＤ−ＲＯＭドライブに接続するなど、施設の利用には本来必要ない手順を踏む必要があり、煩雑であるという問題がある。
【０００５】
またテーマパークなどでは、通常、その施設に備え付けてある案内図付のパンフレットなどを見て現在地を知り、行き先を決めることがなされているが、パンフレットなどの紙媒体はかさばる上、耐久性が低いという問題がある。さらに、パンフレットを提供する側のコストもかかり、環境に負荷をかける場合もあるという問題がある。
【０００６】
本発明はこれらの問題に鑑みてなされたものであって、非接触ＩＣカードまたは非接触ＩＣカード機能を有する携帯電話端末を利用して、利用者が本来必要ではない手順を要求することなく、かつ紙媒体などによらない電磁的な方法で施設内の地図情報を提供し、表示する地図情報提供システムを提供することを目的とする。
【課題を解決するための手段】
【０００７】
上記目的を達成するために、本発明のある局面に従うと、地図情報提供システムは、施設への出入を管理する出入管理装置と、端末装置とを含み、端末装置は、ＩＣカードと、ＩＣカードからの識別情報を出力する手段とを備え、出入管理装置は、端末装置に備えられるＩＣカードに対して非接触にてアクセスし、ＩＣカードからの識別情報を読取る手段と、上記識別情報に基づいて、上記端末装置を携帯した利用者の通過を許可するか否かを判断する手段と、上記端末装置を携帯した利用者の通過を許可する場合、上記端末装置に対して地図情報を送信する手段とを備え、端末装置は、出入管理装置から送信された地図情報を記憶する記憶手段と、地図情報を表示する表示手段とをさらに備える。
【０００８】
好ましくは、出入管理装置は、端末装置を携帯した利用者が施設へ進入する際に、端末装置のＩＣカードに対して非接触にてアクセスし、入場料金を決済する手段を備える。
【０００９】
好ましくは、上記施設は交通機関を利用するための設備であって、出入管理装置は、端末装置を携帯した利用者が上記施設へ進入する際に、端末装置のＩＣカードに対して非接触にてアクセスし、上記交通機関の改札を行なう手段をさらに備える。
【００１０】
好ましくは、地図情報は付加情報を含む。
より好ましくは、上記付加情報は、地図情報に含まれる地図の座標を含む。または、より好ましくは、上記付加情報は、地図情報上の目標となるものの名称を含む。または、より好ましくは、上記付加情報は、地図情報上の目標となるものに関連する情報を含む。または、より好ましくは、上記付加情報は、上記施設と直接関連しない広告情報を含む。
【００１１】
より好ましくは、端末装置の表示手段は、付加情報を地図情報と共に表示する。
さらに好ましくは、上記付加情報は当該付加情報の表示を制限する情報を含み、端末装置の表示手段は、上記付加情報の表示を制限する情報に基づいて、上記付加情報を表示するか否かを判断する手段を含む。
【００１２】
好ましくは、端末装置は、地図情報を加工する加工手段をさらに備え、記憶手段は、加工手段で加工された地図情報を記憶する。
【００１３】
さらに好ましくは、端末装置は、加工手段で加工された地図情報を外部に送信する送信手段を備える。さらに好ましくは、上記送信手段は、加工手段で加工された地図情報を外部メモリに送信する。
【００１４】
好ましくは、付加情報は、地図情報の加工、複製を禁止する情報を含む。
好ましくは、端末装置は現在位置を取得する手段をさらに備え、表示手段は、地図情報の表示の上に、現在位置を表示する。
【００１５】
より好ましくは、端末装置は、目的地を設定する手段と、現在位置から目的地までの経路を検索する手段とをさらに備え、表示手段は、地図情報の表示の上に、検索された経路を表示する。
【００１６】
好ましくは、出入管理装置は、端末装置を携帯した利用者が施設から退出する際に、端末装置に対して、端末装置の記憶手段に記憶された地図情報を消すための命令を送信する手段をさらに備える。
【００１７】
好ましくは、端末装置は、端末装置を携帯した利用者が施設から退出する際に、出入管理装置から、記憶手段に記憶された地図情報を消すための命令を受信する手段と、受信した命令にしたがって、地図情報を消去する処理を行なう手段とをさらに備える。
【発明の効果】
【００１８】
本発明にかかる地図情報提供システムがテーマパークなどの関係者以外の入場を制限する施設や入場が課金される施設等に設置されることで、施設の利用者は、特別の操作を行なうことなく端末装置にその施設の地図情報を取り込み、端末装置上にその地図情報を表示することができる。そのため、施設の利用者は迷うことなくその施設内を移動することができる。
【発明を実施するための最良の形態】
【００１９】
以下に、図面を参照しつつ、本発明の実施の形態について説明する。以下の説明では、同一の部品および構成要素には同一の符号を付してある。それらの名称および機能も同じである。
【００２０】
本実施の形態にかかる地図情報提供システムは、出入管理装置１０１および端末を含んで構成される。本実施の形態において、上記端末は、ＩＣカードを搭載し、ＩＣカードの情報を所定の範囲で無線送信して非接触にて読取らせる機能を備えた携帯電話であるものとするが、携帯電話の他、ＩＣ（Integrated Circuit）カードそのものや、同様の機能を備えたパーソナルコンピュータやＰＤＡ（Personal Digital Assistants）やデジタルカメラや腕時計などであってもよい。
【００２１】
図１は本実施の形態にかかる出入管理装置１０１の外観の概略図であり、図２はその内部構成の概略を示すブロック図、および図３はその機能構成の具体例を示すブロック図である。
【００２２】
図１を参照して、出入管理装置１０１は、人が１人通過することが可能な程度の間隔（たとえば７０ｃｍ程度）の間隔をあけて左右１対で設置され、その間に、上記人の通過を妨げる位置に門扉１０３が開閉可能に設置される。出入管理装置１０１の高さは起立した人の手の到達する高さ（たとえば１ｍ程度）であることが好ましく、出入管理装置１０１の上記間隔を通過する際に人の手が到達しやすい位置（図１においては上面）にＩＣカード読取部１０２を備える。
【００２３】
出入管理装置１０１はテーマパークなどの入り口に設置されて、テーマパークの入場者は、出入管理装置１０１の端末装置として機能する携帯電話端末４０１（図４，図５）を出入管理装置１０１のＩＣカード読取部１０２にかざす。それによって、入場者は電子決済を利用してテーマパークの入場料を支払い、門扉１０３が開かれてテーマパークに入場できる。本実施の形態にかかる出入管理装置１０１は、この料金を支払うタイミングでテーマパークの案内図情報を携帯電話端末４０１に出力する。
【００２４】
出入管理装置１０１の内部構成は、図２を参照して、出入管理装置１０１全体の制御を行なうＣＰＵ（Central Processing Unit）２０６、ＣＰＵ２０６で実行されるプログラムや地図情報などを記憶する記憶部２０５、ＣＰＵ２０６からの制御信号に従って門扉１０３を開閉させる機構である門扉開閉機構部２０３、携帯電話端末４０１に内蔵されるＩＣカードより発せられる電波を受信するアンテナ２０１、およびアンテナ２０１で受信された電波を検波してＩＣカードから出力された電波を検出してＣＰＵ２０６に出力するＩＣカード無線部２０２を含む。
【００２５】
図３に示される出入管理装置１０１の機能は、ＣＰＵ２０６が記憶部２０５に記憶されるプログラムを読出して実行し、図２に示された各部を制御することで主にＣＰＵ２０６に形成される。また、いずれかの機能は、図２に示されたＣＰＵ２０６以外の他の構成によって実現されてもよい。
【００２６】
図３を参照して、出入管理装置１０１の機能には、電波入力部３０１、ＩＣカード認識部３０３、認証情報取得部３０５、ＩＣカード認証部３０７、通過許可判断部３０９、開閉制御部３１１、地図情報出力部３１３、通過判断結果送信部３１５、および消去命令送信部３１７が含まれる。
【００２７】
電波入力部３０１は、ＩＣカード無線部２０２からの、ＩＣカードから発せられる電波を、ＩＣカード認識部３０３に入力する。ＩＣカード認識部３０３は、その電波を解析してＩＣカードから出力された電波であり、ＩＣカードが搭載された携帯電話端末４０１がＩＣカード読取部１０２にかざれていることを認識し、その認識結果を認証情報取得部３０５に入力する。認証情報取得部３０５は、その電波がＩＣカードから出力された電波である場合に、アンテナ２０１およびＩＣカード無線部２０２を介して携帯電話端末４０１に対してＩＣカードの認証情報を要求し、認証情報を取得してＩＣカード認証部３０７に入力する。
【００２８】
ＩＣカード認証部３０７は、入力された認証情報が予め記憶部２０５に記憶されている通過が許可される認証情報等の所定の条件に合致するか否かを認証し、その結果を通過許可判断部３０９に入力する。通過許可判断部３０９はＩＣカード認証部３０７から入力された認証結果が予め記憶部２０５に記憶されている所定の条件に合致しているという結果である場合には通過を許可すると判断する。所定の条件に合致していないという結果である場合には通過を許可しないと判断する。その判断結果は開閉制御部３１１、地図情報出力部３１３、および通過判断結果送信部３１５に入力される。
【００２９】
通過判断結果送信部３１５は通過許可判断部３０９での判断結果を携帯電話端末４０１に対して送信する。地図情報出力部３１３は、通過許可判断部３０９からの判断結果に応じて記憶部２０５に記憶されている地図情報をアンテナ２０１およびＩＣカード無線部２０２を介して携帯電話端末４０１に対して出力する。また、開閉制御部３１１は、通過許可判断部３０９からの判断結果に応じて門扉１０３を閉状態から開状態にするための制御信号を門扉開閉機構部２０３に対して出力する。また、消去命令送信部３１７は、通過許可判断部３０９からの判断結果に応じて携帯電話端末４０１に対して記憶されている地図情報の消去を命令する消去命令を、携帯電話端末４０１に対して送信する。
【００３０】
なお、出入管理装置１０１の機能には上述の機能以外の機能が含まれていてもよい。たとえば、通過許可判断部３０９において通過を許可しないと判断された場合に警告音や警告ランプを作動させる警報作動部や、通過許可判断部３０９において通過を許可すると判断された場合に、携帯電話端末４０１に対して決済処理を行なう決済処理部、改札処理を行なう改札処理部などが含まれていてもよい。
【００３１】
図４は、本実施の形態にかかる携帯電話端末４０１の外観の概略図であり、図５はその内部構成の概略を示すブロック図、および図６は携帯電話端末４０１が出入管理装置１０１の端末装置として機能するための機能構成の具体例を示すブロック図である。本実施の形態にかかる携帯電話端末４０１は、ＩＣカードを接続し、または内部に含み、ＩＣカードの情報を所定範囲で無線通信によって出力する機能を備える。
【００３２】
具体的には、図４を参照して、本実施の形態にかかる携帯電話端末４０１はクラムシェル型の携帯電話であるものとして、折り畳んだときに内側に相当する面に、ＬＣＤ（Liquid Crystal Display）などの表示部４０３、およびボタンやキーボードやマウスなどのポインティング装置やタッチパネルなどの操作部４０４が備えられる。また、折り畳んだときに外側に相当する面に、ＩＣカードの情報を無線通信で送信するＩＣカード読取部４０２が備えられる。また、図４に示される構成に加えて、音声を鳴動させるスピーカなどが含まれてもよい。
【００３３】
携帯電話端末４０１の利用者は、出入管理装置１０１が入り口に設置されたテーマパークなどに入場する際、出入管理装置１０１のＩＣカード読取部１０２に携帯電話端末４０１のＩＣカード読取部４０２を近づけ、入場料金の決済等を行なう。このとき、携帯電話端末４０１は出入管理装置１０１から地図情報を受取る。
【００３４】
携帯電話端末４０１の内部構成は、図５を参照して、携帯電話端末４０１全体の制御を行なうＣＰＵ５０７、ＣＰＵ５０７で実行されるプログラムや携帯電話端末４０１またはその利用者の認証情報や受信した地図情報などを記憶する記憶部５０６、ＩＣカードの情報を送信するためのＩＣカードアンテナ５０１、接続または内蔵するＩＣカードにアクセスしてＩＣカードアンテナ５０１を介して送信するために情報を読出す処理や受信した情報をＩＣカードに書込む処理を行なうＩＣカード無線部５０２、携帯電話機能における音声データや画像データなどを送受信するための携帯電話アンテナ５０５、携帯電話アンテナ５０５を介して携帯電話機能における音声データや画像データなどを送受信するための処理を行なう携帯電話無線部５０４、およびＧＰＳ（Global Positioning System）機能を利用したり基地局から位置情報を得たりして現在位置を取得する位置情報取得部５０９を含む。
【００３５】
図６に示される携帯電話端末４０１の機能は、ＣＰＵ５０７が記憶部５０６に記憶されるプログラムを読出して実行し、図５に示された各部を制御することで主にＣＰＵ５０７に形成される。また、いずれかの機能は、図５に示されたＣＰＵ５０７以外の他の構成によって実現されてもよい。
【００３６】
図６を参照して、携帯電話端末４０１の機能には、ＩＣカード電波出力部６０１、認証情報送信部６０３、認証情報読出部６０５、通過判断結果受信部６０７、地図情報受信部６０９、地図情報記憶部６１１、地図情報表示指示部６１３、地図情報読出部６１５、地図情報表示制御部６１７、地図情報加工制御部６１９、地図情報加工指示部６２１、地図情報送信部６２３、消去命令受信部６２５、および消去処理部６２７が含まれる。
【００３７】
ＩＣカード電波出力部６０１は、接続または内蔵するＩＣカードから発せられる電波をＩＣカード無線部５０２およびＩＣカードアンテナ５０１を介して出力する。
【００３８】
認証情報読出部６０５は、出入管理装置１０１からの要求に応じてＩＣカードから認証情報を読出し、認証情報送信部６０３に入力する、認証情報送信部６０３はＩＣカード無線部５０２およびＩＣカードアンテナ５０１を介して出入管理装置１０１に対して送信する。
【００３９】
通過判断結果受信部６０７は、出入管理装置１０１から通過が許可されるか否かの判断結果を受信する。判断結果は、必要に応じてその結果を表示部４０３に表示するための処理に用いられてもよいし、携帯電話端末４０１が出入管理装置１０１に対して決済処理を行なう決済処理部を備える場合には、決済処理部において決済処理に用いられてもよいし、出入管理装置１０１に対して改札処理を行なう改札処理部を備える場合には、改札処理部において改札処理に用いられてもよい。
【００４０】
地図情報受信部６０９は、出入管理装置１０１から送信された地図情報を受信し、記憶部５０６の所定領域である地図情報記憶部６１１に格納する。
【００４１】
地図情報表示指示部６１３は、操作部４０４から地図情報の表示を指示する信号、および表示する地図情報を特定する信号を受付け、地図情報読出部６１５に入力する。地図情報読出部６１５は指示された地図情報を地図情報記憶部６１１より読出し、地図情報表示制御部６１７に入力する。地図情報表示制御部６１７は入力された地図情報を表示するための処理を行なって表示するための信号を生成し、表示部４０３に入力して表示させる。
【００４２】
地図情報加工指示部６２１は、操作部４０４から地図情報の加工を指示する信号、および加工内容を特定する信号を受付け、地図情報加工制御部６１９に入力する。地図情報加工制御部６１９は指示された地図情報に対して加工し、加工された地図情報を地図情報記憶部６１１に記憶する。または地図情報送信部６２３に入力する。地図情報送信部６２３は、携帯電話無線部５０４および携帯電話アンテナ５０５を介して、指定された送信先に入力された地図情報を送信する。
【００４３】
消去命令受信部６２５は、出入管理装置１０１から送信された、記憶する地図情報を消去する命令を受信し、消去処理部６２７に入力する。消去処理部６２７は、該当する地図情報を消去する。
【００４４】
図７は、本実施の形態にかかる地図情報提供システムにおいて地図情報を提供する際の、出入管理装置１０１で実行される処理の具体例を表わすフローチャートである。図７のフローチャートに表わされる処理は、出入管理装置１０１のＣＰＵ２０６が記憶部２０５に記憶されているプログラムを読出して実行し、図３に示される各部を機能させることで実現される。
【００４５】
図７を参照して、始めに、ＩＣカード認識部３０３は、ＩＣカード読取部１０２に携帯電話端末４０１をかざされることにより、ＩＣカードからの電波を非接触でアンテナ２０１において受信しＩＣカード無線部２０２で検波することにより、ＩＣカードを搭載した携帯電話端末４０１であることを認識する（ステップＳ３０１）。ステップＳ３０１でＩＣカードが搭載された携帯電話装置４０１であることが認識されると、認証情報取得部３０５はアンテナ２０１およびＩＣカード無線部２０２を介して携帯電話端末４０１に対してＩＣカードの認証情報を要求し、ＩＣカードの認証情報を受信する（ステップＳ３０２）。ＩＣカード認証部３０７はステップＳ３０２で受信した認証情報を確認し、予め記憶部２０５に記憶されている所定の条件を参照して、ＩＣカードの認証を行なう。通行許可判断部３０９は、その認証結果に基づいて、出入管理装置１０１の通過を許可するか否かを判断する（ステップＳ３０３）。
【００４６】
ステップＳ３０３において、通過を許可しない場合（ステップＳ３０３でＮｏ）、開閉制御部３１１は門扉１０３を閉状態のままとし、開状態にするための制御信号を門扉開閉機構部２０３に出力しない（ステップＳ３０４）。このとき、出入管理装置１０１に上記警報作動部が備えられている場合、警報音を鳴らしたり、ランプを点灯させたりしてもよい。
【００４７】
ステップＳ３０３において、通過を許可する場合は（ステップＳ３０３でＹｅｓ）、出入管理装置１０１に上記決済処理部や上記改札処理部が備えられている場合、必要に応じて決済処理（ステップＳ３０５ａ）や改札処理（ステップＳ３０５ｂ）を行なう。そして、地図情報出力部３１３において、記憶部２０５に記録されている地図情報が携帯電話端末４０１に対して送信される（ステップＳ３０５）。
【００４８】
その後、開閉制御部３１１は門扉１０３を開けて閉状態から開状態とする制御信号を門扉開閉機構部２０３に送り、門扉１０３を開ける（ステップＳ３０６）。
【００４９】
なお、上記処理は、出入管理装置１０１がテーマパークの入り口に設置されて、利用者がテーマパークに入場する際に行なわれるものしたが、出入管理装置１０１は、関係者以外の進入を制限するような施設の入り口に設置されて同様の処理が行なわれてもよい。具体的には、上記ステップＳ３０３でＩＣカード認証部３０７においてＩＣカードが認証され、当該ＩＣカードを含む携帯電話端末４０１を携帯している利用者が関係者と認められると、通過許可判断部３０９においてこの利用者の通過が許可され、ステップＳ３０５で地図情報出力部３１３から地図情報が送信される。同様に、駅の自動改札機に出入管理装置１０１が搭載される場合、利用されるＩＣカードは運賃を支払うためのＩＣカードと兼用されていてもよく、ステップＳ３０３で通過が許可された場合には（ステップＳ３０３でＹｅｓ）、ステップＳ３０５ｂで図示されない改札処理部において改札処理がなされて、ステップＳ３０５で地図情報出力部３１３から地図情報が送信される。
【００５０】
図８は、本実施の形態にかかる地図情報提供システムにおいて地図情報を提供する際の、携帯電話端末４０１で実行される処理の具体例を表わすフローチャートである。図８のフローチャートに表わされる処理は、携帯電話端末４０１のＣＰＵ５０７が記憶部５０６に記憶されているプログラムを読出して実行し、図６に示される各部を機能させることで実現される。
【００５１】
図８を参照して、始めに、携帯電話端末４０１の利用者が携帯電話端末４０１のＩＣカード読取部４０２を出入管理装置１０１のＩＣカード読取部１０２からの距離が所定範囲になる位置まで近づけることで、ＩＣカード電波出力部６０１からの電波が出入管理装置１０１に到達し（ステップＳ６０１）、上記ステップＳ３０１の認識に用いられる。ＩＣカードが出入管理装置１０１において認識され、上記ステップＳ３０２で出入管理装置１０１から送信された認証情報の要求を受信すると、認証情報読出部６０５はその要求に応じてＩＣカードから当該ＩＣカードの認証情報を読出し、認証情報送信部６０３からＩＣカード無線部５０２、およびＩＣカードアンテナ５０１を介して出入管理装置１０１に対して送信される（ステップＳ６０２）。
【００５２】
その後、上記ステップＳ３０３での判断結果として、出入管理装置１０１の通行が許可されなかった場合には（ステップＳ６０３でＮｏ）、通過判断結果受信部６０７において通過を拒否する情報が出入管理装置１０１から受信される（ステップＳ６０４）。このとき、表示部４０３にその旨を表示する処理や、警告音を発したりして通過拒否を携帯電話端末４０１の利用者に通知する処理が実行されてもよい。
【００５３】
上記ステップＳ３０３での判断結果として、出入管理装置１０１の通行が許可された場合は（ステップＳ６０３でＹｅｓ）、携帯電話端末４０１に上記決済処理部や上記改札処理部が備えられている場合、必要に応じて決済処理（ステップＳ６０５ａ）や改札処理（ステップＳ６０５ｂ）を行なう。また、地図情報受信部６０９において、上記ステップＳ３０５で出入管理装置１０１から送信された地図情報が受信され（ステップＳ６０６）、記憶部５０６の地図情報記憶部６１１に記録される（ステップＳ６０７）。
【００５４】
図９および図１０は地図情報の構成の具体例を説明する図である。
図９に示されるように、地図情報は、建物や樹木など目標となるオブジェクトの画像と道の画像とを含む地図の画像データと、その他の付加情報とを含んで構成される。
【００５５】
付加情報の構成の具体例は、図１０に示される。図１０を参照して、付加情報は、予め地図情報に付属している付加情報８０１と、後述する利用者による加工処理によって付加された付加情報８０２と、当該地図情報の利用を制御する制御フラグ８０３と、地図の座標などで位置を表わす位置情報８０４とを含む。
【００５６】
位置情報８０４としては、図１０に示されるように、地図上の座標を計算するため、たとえば方形の地図の場合、地図の始点の座標と終点の座標とが該当する。または、緯度や経度を表わす情報であってもよい。ここでは具体的に座標を利用して位置を表わすものとする。
【００５７】
予め地図情報に付属している付加情報８０１および利用者による加工処理によって付加された付加情報８０２としては、地図情報を表示する際に地図と共に表示される文字や図形を特定する識別情報、および上記文字や図形を表示する位置を特定する位置情報が該当する。上記識別情報には、文字や図形の画像データそのものや、文字や図形の画像データを記憶する出入管理装置１０１の記憶部２０５、携帯電話端末４０１の記憶部５０６、またはインターネット等を介してアクセス可能な他の記憶装置へアクセスして画像データを取得するためのアクセス情報が含まれ得る。
【００５８】
地図情報を表示する際に地図と共に表示される文字や図形としては、たとえば、オブジェクトの名称、商品の割引情報、クーポン券、特価情報、おすすめ商品の情報、利用料金、時刻表、待ち時間、設備の説明、施設に直接関係しない広告等が挙げられる。
【００５９】
図１０を参照して、これらの文字や図形は、表示する位置を特定する位置情報と対応付けられている。具体的には、地図上の位置を表わす座標と対応付けられている。
【００６０】
制御フラグ８０３としては、図１０に示されているような地図情報の読出しのみ許可されて加工や複製が禁止されるフラグや、付加情報の表示を制限するフラグや、許可される読出しの範囲や加工の範囲を設定するフラグや、複製回数や送信回数を制限するフラグなどが挙げられる。
【００６１】
次に、携帯電話端末４０１において、地図情報を表示する処理について説明する。図１１は、上記地図情報表示制御部６１７に含まれる機能構成の具体例を示すブロック図である。図１１を参照して、地図情報表示制御部６１７には、地図情報から画像データを読出す画像データ読出部７０１、地図情報に含まれる制御フラグ８０３を参照して付加情報の表示の制限を判断する付加情報表示判断部７０３、上記判断に応じて地図情報から付加情報を読出す付加情報読出部７０５、位置情報取得部５０９で取得される現在位置を入力する現在位置情報入力部７０７、利用者から設定された目的地を記憶する記憶部５０６の所定領域である目的地記憶部７１１、目的地記憶部７１１から設定された目的地を読出す目的地読出部７０９、現在位置と目的地と地図情報に含まれる位置情報８０４とを用いて現在位置から目的地までの経路を検索する経路検索部７１３、および地図情報を表示するための処理を行なう表示処理部７１５が含まれる。
【００６２】
なお、利用者から設定された目的地に関する情報は、図１０に示されるように、後述する現在位置の位置情報と共に、利用者による加工処理によって付加された付加情報８０２に含まれてもよい。
【００６３】
図１２は、携帯電話端末４０１において地図情報を表示する処理の具体例を表わすフローチャートである。図１２のフローチャートに表わされる処理もまた、携帯電話端末４０１のＣＰＵ５０７が記憶部５０６に記憶されているプログラムを読出して実行し、図６，図１１に示される各部を機能させることで実現される。
【００６４】
携帯電話端末４０１の操作部４０４を操作することで表示部４０３に表示される図示されないメニュー画面から地図表示を選択することで、操作部４０４から地図情報の表示を指示する信号が入力される。
【００６５】
図１２を参照して、地図情報表示指示部６１３において上記信号を受信すると（ステップＳ９０１）、地図情報読出部６１５において記憶部５０６の地図情報記憶部６１１から該当する地図情報が読出され（ステップＳ９０２）、画像データ読出部７０１において画像データが読出される。付加情報表示判断部７０３において、該当する地図情報に付加情報があり、かつ制御フラグ８０３を参照して表示が許可されていると判断されると（ステップＳ９０３でＹｅｓ）、付加情報読出部７０５はステップＳ９０２で読出された地図情報より付加情報を読出す（ステップＳ９０４）。ここでは、地図情報に付加情報が含まれると判断された場合であっても、制御フラグ８０３で表示が制限されている場合には、付加情報の表示が制限される。付加情報の表示を制限する制御フラグは、たとえば地図情報の提供者が設定するものであってもよいし、利用者が画面上で対象の付加情報を選択して画面上のメニューから付加情報の表示を禁止する設定をすることにより付加情報の表示を禁止することで設定されてもよい。
【００６６】
現在位置情報取得部５０９が現在位置を取得する場合（ステップＳ９０５でＹｅｓ）、現在位置情報入力部７０７は最新の現在位置の位置情報を取得する（ステップＳ９０６ａ）。さらに、目的地情報が設定されて目的地記憶部７１１に記憶されている場合（ステップＳ９０６ｂでＹｅｓ）、目的地読出部７０９は設定されている目的地を読出し、経路探索部７１３は経路検索処理を実行する（ステップＳ９０６ｃ）。なお、上述のように、現在位置の位置情報と利用者から設定された目的地に関する情報とが付加情報８０２に含まれるものである場合、上記ステップＳ９０５，Ｓ９０６ｂでは付加情報８０２を参照してこれらの情報が含まれているか否かを確認することが好ましい。
【００６７】
現在情報を取得しない場合（ステップＳ９０５でＮｏ）には、これらの処理はスキップされる。また、現在情報が取得されて最新の現在位置の位置情報が取得されている場合（ステップＳ９０５でＹｅｓ，ステップＳ９０６ａ）であっても、目的地が設定されていない場合（ステップＳ９０６でＮｏ）には、経路検索処理（ステップ９０６ｃ）がスキップされる。
【００６８】
表示処理部７１５は、ステップＳ９０２で読出された画像データ、ステップＳ９０４の処理が実行された場合には読出された付加情報、ステップＳ９０６ａの処理が実行された場合には取得された現在位置の位置情報、およびステップＳ９０６ｃの経路検索が実行された場合には得られた経路情報に基づいて、地図情報に基づいた画面を表示部４０３に表示させるための信号を生成し、表示部４０３に表示させる（ステップＳ９０７）。
【００６９】
ステップＳ９０７では、ステップＳ９０２で読出された画像データに、ステップＳ９０４で読出された付加情報により特定されて取得された画像データ（または生成された画像データ）を、対応する位置に合成し、さらに、ステップＳ９０６ａで取得された現在位置を示すマークを現在位置に基づいて付加し、ステップＳ９０６ｃで得られた経路情報を表わす画像を対応する位置に合成する処理が実行される。
【００７０】
現在位置を示すマークは、たとえば、地図情報に示される地図が方形の場合、Ｘ軸方向の位置は、現在位置の位置情報のＸ軸方向の位置情報／（地図の座標のＸ軸方向の終点−座標のＸ軸方向の始点）×地図のＸ軸方向の大きさ、で地図上の位置が特定される。Ｙ軸方向の地図上の位置も同様に特定され得る。
【００７１】
図１３は、地図情報の表示の具体例を示す図である。図１３に表示の具体例が示される地図情報は、図１０に示される付加情報を含んでいるものとする。その場合、図１３を参照して、地図情報の表示には、具体的には、画像データに含まれる建物や樹木など目標となるものや道などの画像７００と、上記付加情報８０１で特定される「観覧車」のようなアトラクションの名称７０１と、上記付加情報８０１で特定される「レストラン  カレー５００円」のような建物の名称およびそのおすすめ商品の関する情報７０２と、上記付加情報８０１で特定される「○×商事」「ＡＢＣランドへようこそ！」のような施設に直接関連しない広告７０８と、上記付加情報８０２で特定される「景色がきれい」のような利用者が書込んだ（加工した）情報７０４と、現在位置を示すマーク７０５と、設定された目的地を示すマーク７０６と、検索された現在位置から目的地までの経路を示す画像７０７とが含まれている。
【００７２】
さらに、本実施の形態においては、携帯電話端末４０１において、携帯電話端末の利用者の操作により地図情報が加工されてもよい。そこで、次に、携帯電話端末４０１において、地図情報を加工する処理について説明する。図１４は、上記地図情報加工制御部６１９に含まれる機能構成の具体例を示すブロック図である。図１４を参照して、地図情報加工制御部６１９には、地図情報加工指示部６２１から指示された加工内容を解析する加工内容解析部８０１、地図情報に含まれる制御フラグ８０３を参照して加工の可否や加工可能な範囲などを判断する加工可否判断部８０３、加工可否判断部８０３での判断された範囲で上記指示に応じて画像加工を行なう画像加工処理部８０５、地図情報に含まれる制御フラグ８０３を参照して地図情報を地図情報記憶部６１１に記録（複製）することが可能であるか否かを判断する複製判断部８０７、記録が可能な場合に図示されない選択画面を表示部４０３に表示して利用者からの記録先の選択を受付ける記録先選択部８０９、図示されない選択画面を表示部４０３に表示して利用者からの加工後の地図情報の送信先の選択を受付ける送信先選択部８１３、および選択された送信先に加工後の地図情報を出力する加工地図出力部８１１が含まれる。
【００７３】
図１５は、携帯電話端末４０１において地図情報を加工する処理の具体例を表わすフローチャートである。図１５のフローチャートに表わされる処理もまた、携帯電話端末４０１のＣＰＵ５０７が記憶部５０６に記憶されているプログラムを読出して実行し、図６，図１４に示される各部を機能させることで実現される。
【００７４】
図１５を参照して、表示部４０３に地図が表示された後（ステップＳ１００１）、地図情報加工指示部６２１において、利用者の操作により、地図のトリミングや回転、マーキング、付加情報の追加・変更など地図情報および／または地図情報に含まれる付加情報の加工の指示を受付け、加工可否判断部８０３においてその内容が解析される。そして、画像加工処理部８０５において、指示された画像加工が行なわれる（ステップＳ１００２）。なお、ステップＳ１００２においては、加工可否判断部８０３が、指示された加工内容について、地図情報の制御フラグ８０３を参照して加工の可否や加工可能な範囲などを判断し、画像加工処理部８０５において、その判断に応じた画像加工が行なわれてもよい。ステップＳ１００２での加工方法については本発明において特定の方法に限定されず、一般的な画像加工技術等が採用され得る。
【００７５】
複製判断部８０７は地図情報の制御フラグ８０３を参照して、地図情報の複製が禁止されているか否かを判断し（ステップＳ１００３）、その結果、複製が禁止されていると判断された場合（ステップＳ１００３でＹｅｓ）、以降の処理をスキップして処理を終了する。複製が許可されていると判断された場合は（ステップＳ１００３でＮｏ）、記録先選択部８０９において利用者の操作により加工後の地図情報を保存する場所の選択を受付けて（ステップＳ１００４）、選択された記録先に加工後の地図情報が保存される（ステップＳ１００５）。このとき、保存する場所は携帯電話端末４０１内部の記憶部５０６でもよいし、携帯電話端末４０１に有線または無線で接続される外部メモリであってもよい。
【００７６】
送信先選択部８１３において、操作部４０４より加工後の地図情報を他の装置に送信して他の装置の利用者と共有する指示が入力され、送信先として電話番号やメールアドレスの選択を受付けた場合（ステップＳ１００６でＹｅｓ）、加工地図出力部８１１は、加工された地図情報またはステップＳ１００５で保存された地図情報を、指定された送信先に送信する（ステップＳ１００７）。ステップＳ１００７では、携帯電話端末の通信機能を用いてメールに添付することで送信してもよいし、地図情報を所定のサーバ上に記憶させて、その旨を指定された送信先に通知してもよい。
【００７７】
上記ステップＳ１００２で画像加工処理部８０５によって行なわれる画像加工としては、地図そのものを変形させたり、書足したりする加工であってもよいし、図１０に示された、利用者が追加した付加情報８０２と同様に、付加情報を追加する加工であってもよい。また、現在位置の位置情報や目的地、経路も、付加情報８０２として記録されてもよい。
【００７８】
次に、携帯電話端末４０１の利用者がテーマパークなどから退出する際に地図情報提供システムにおいて実行される処理を説明する。
【００７９】
図１６は、携帯電話端末４０１の利用者がテーマパークなどから退出する際に出入管理装置１０１で実行される処理の具体例を表わすフローチャートである。図１６のフローチャートに表わされる処理もまた、出入管理装置１０１のＣＰＵ２０６が記憶部２０５に記憶されているプログラムを読出して実行し、図３に示される各部を機能させることで実現される。
【００８０】
図１６を参照して、始めに、ＩＣカード認識部３０３は、ＩＣカード読取部１０２に携帯電話端末４０１をかざされることにより、ＩＣカードからの電波を非接触でアンテナ２０１において受信しＩＣカード無線部２０２で検波することにより、ＩＣカードを搭載した携帯電話端末４０１であることを認識する（ステップＳ１１０１）。ステップＳ１１０１でＩＣカードが搭載された携帯電話装置４０１であることが認識されると、消去命令送信部３１７において、携帯電話端末４０１内に記憶されている地図情報を消去させるための命令が携帯電話端末４０１に対して送信される（Ｓ１１０２）。そして、開閉制御部３１１は門扉１０３を開けて閉状態から開状態とする制御信号を門扉開閉機構部２０３に送り、門扉１０３を開ける（ステップＳ１１０３）。
【００８１】
また、図１７は、携帯電話端末４０１の利用者がテーマパークなどから退出する際に携帯電話端末４０１で実行される処理の具体例を表わすフローチャートである。図１７のフローチャートに表わされる処理もまた、携帯電話端末４０１のＣＰＵ５０７が記憶部５０６に記憶されているプログラムを読出して実行し、図６に示される各部を機能させることで実現される。
【００８２】
図１７を参照して、携帯電話端末４０１の利用者が携帯電話端末４０１のＩＣカード読取部４０２を出入管理装置１０１のＩＣカード読取部１０２からの距離が所定範囲になる位置まで近づけることで、ＩＣカード電波出力部６０１からの電波が出入管理装置１０１に到達し（ステップＳ１２０１）、上記ステップＳ１１０１の認識に用いられる。ＩＣカードが出入管理装置１０１において認識され、上記ステップＳ１１０２で出入管理装置１０１から送信された携帯電話端末４０１内に記憶されている地図情報を消去させるための命令を消去命令受信部６２５において受信すると（ステップＳ１２０２）、消去処理部６２７はその命令に地図情報記憶部６１１に記憶されている該当する地図情報を消去するための処理を行なう（ステップＳ１２０３）。
【００８３】
本実施の形態にかかる地図情報提供システムがテーマパークなどの関係者以外の入場を制限する施設や入場が課金される施設等に設置され、上述の処理が実行されることで、施設の利用者は、従来の入場の際の操作と同様の操作で、携帯電話端末にその施設の地図情報を取り込み、携帯電話端末上にその地図情報を表示することができる。そのため、施設の利用者は迷うことなくその施設内を移動することができる。
【００８４】
また、地図情報が、案内情報などが書かれたパンフレット等の紙媒体ではなく、データとして携帯電話端末に提供されるために、施設の利用者はパンフレット等の紙媒体を持ち歩く必要がなく、地図情報が利用しやすくなる。また、そのような紙媒体を用意する必要がなく、地図情報の提供側はコストを削減できる上、紙の消費を抑えることができるために、自然環境に対する負荷も軽減できる。
【００８５】
また、上述のように、施設の利用者は携帯電話端末において地図情報を加工することができ、より使い勝手が向上する。さらに、加工後の地図情報を他の利用者と共有することができるため、施設内で小グループに分かれて行動する場合などに地図情報の使い勝手が向上する。
【００８６】
さらに、上述のように、退場時に携帯電話端末に保存された地図情報を削除させる処理が実行されることで、地図情報の著作権の保護を図ることもできる。
【００８７】
なお、上述の地図情報提供システムにおける処理を、プログラムとして提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００８８】
なお、本発明にかかるプログラムは、コンピュータのオペレーションシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００８９】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００９０】
提供されるプログラム製品は、ハードディスクなどのプログラム格納部にインストールされて実行される。なお、プログラム製品は、プログラム自体と、プログラムが記録された記録媒体とを含む。
【００９１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９２】
【図１】出入管理装置１０１の外観の概略図である。
【図２】出入管理装置１０１の内部構成の概略を示すブロック図である。
【図３】出入管理装置１０１の機能構成の具体例を示すブロック図である。
【図４】携帯電話端末４０１の外観の概略図である。
【図５】携帯電話端末４０１の内部構成の概略を示すブロック図である。
【図６】携帯電話端末４０１の機能構成の具体例を示すブロック図である。
【図７】地図情報提供システムにおいて地図情報を提供する際の、出入管理装置１０１で実行される処理の具体例を表わすフローチャートである。
【図８】地図情報提供システムにおいて地図情報を提供する際の、携帯電話端末４０１で実行される処理の具体例を表わすフローチャートである。
【図９】地図情報の構成の具体例を説明する図である。
【図１０】付加情報の構成の具体例を説明する図である。
【図１１】地図情報表示制御部６１７に含まれる機能構成の具体例を示すブロック図である。
【図１２】携帯電話端末４０１において地図情報を表示する処理の具体例を表わすフローチャートである。
【図１３】地図情報の表示の具体例を示す図である。
【図１４】地図情報加工制御部６１９に含まれる機能構成の具体例を示すブロック図である。
【図１５】携帯電話端末４０１において地図情報を加工する処理の具体例を表わすフローチャートである。
【図１６】携帯電話端末４０１の利用者がテーマパークなどから退出する際に出入管理装置１０１で実行される処理の具体例を表わすフローチャートである。
【図１７】携帯電話端末４０１の利用者がテーマパークなどから退出する際に携帯電話端末４０１で実行される処理の具体例を表わすフローチャートである。
【符号の説明】
【００９３】
１０１  出入管理装置、１０２  ＩＣカード読取部、１０３  門扉、２０１  アンテナ、２０２  ＩＣカード無線部、２０３  門扉開閉機構部、２０５，５０６  記憶部、２０６，５０７  ＣＰＵ、３０１  電波入力部、３０３  ＩＣカード認識部、３０５  認証情報取得部、３０７  ＩＣカード認証部、３０９  通過許可判断部、３１１  開閉制御部、３１３  地図情報出力部、３１５  通過判断結果送信部、３１７  消去命令送信部、４０１  携帯電話端末、４０２  ＩＣカード読取部、４０３  表示部、４０４  操作部、５０１  ＩＣカードアンテナ、５０２  ＩＣカード無線部、５０４  携帯電話無線部、５０５  携帯電話アンテナ、５０９  位置情報取得部、６０１  ＩＣカード電波出力部、６０３  認証情報送信部、６０５  認証情報読出部、６０７  通過判断結果受信部、６０９  地図情報受信部、６１１  地図情報記憶部、６１３  地図情報表示指示部、６１５  地図情報読出部、６１７  地図情報表示制御部、６１９  地図情報加工制御部、６２１  地図情報加工指示部、６２３  地図情報送信部、６２５  消去命令受信部、６２７  消去処理部。
【図１】
2008039830.tif 000003
【図２】
2008039830.tif 000004
【図３】
2008039830.tif 000005
【図４】
2008039830.tif 000006
【図５】
2008039830.tif 000007
【図６】
2008039830.tif 000008
【図７】
2008039830.tif 000009
【図８】
2008039830.tif 000010
【図９】
2008039830.tif 000011
【図１０】
2008039830.tif 000012
【図１１】
2008039830.tif 000013
【図１２】
2008039830.tif 000014
【図１３】
2008039830.tif 000015
【図１４】
2008039830.tif 000016
【図１５】
2008039830.tif 000017
【図１６】
2008039830.tif 000018
【図１７】
2008039830.tif 000019